(57)【要約】【課題】使い捨て方式に特化し、使用開始までの給電を無効化する方法と給電を開始する方法と一定時間の後、ＩＤタグとして不能となる電源を使用することにより、時間制限付きのＩＤタグを提供する。【解決手段】ＩＤタグに内蔵する電源供給部には、発熱材Ａと発熱材Ｂを実装し、発熱媒体として使い捨てカイロ式の混合に起因する発熱材料をもち、使用するまで別々な場所に格納しておけるようにする。プルリンク２を引き抜くことによって、発熱材Ａと発熱材Ｂが混合し、発生する熱を持って発電が開始する。【選択図】図３
2008065360.tif 000002
【特許請求の範囲】
【請求項１】
電源供給に有限な蓄電デバイスを実装し時間制限を設けることによる使い捨て方式ＩＤタグ
【請求項２】
プルリンク式引き抜きキーを引き抜くことにより給電開始を行なう仕組みを備えることを特徴とする使い捨て方式ＩＤタグ
【請求項３】
外装の特定部分に穴を開けることにより給電開始を行なう仕組みを備えることを特徴とする使い捨て方式ＩＤタグ
【請求項４】
外装の一部を折り曲げる、もしくは折ることにより給電開始を行なう仕組みを備えることを特徴とする使い捨て方式ＩＤタグ
【請求項５】
請求項２もしくは請求項３もしくは請求項４の何れかの給電開始方法を持ち、発電材を接触混合する発熱構造を有し、その結果得られる熱電発電による電力供給を目的とした仕組みを備えることを特徴とする使い捨て方式ＩＤタグ
【請求項６】
請求項２もしくは請求項３もしくは請求項４の何れかの給電開始方法を持ち、冷却材を接触混合する発熱構造を有し、その結果得られる熱電発電による電力供給を目的とした仕組みを備えることを特徴とする使い捨て方式ＩＤタグ
【請求項７】
請求項２もしくは請求項３もしくは請求項４の何れかの給電開始方法を持ち、熱電発電による電力供給を行なうＩＤタグにおいて温度差を維持することを目的とした放熱板としての仕組みを備えることを特徴とする使い捨て方式ＩＤタグ
【請求項８】
請求項２もしくは請求項３もしくは請求項４の何れかの給電開始方法を持ち、一次電池による電力供給を目的とした仕組みを備えることを特徴とする使い捨て方式ＩＤタグ
【請求項９】
請求項２もしくは請求項３もしくは請求項４の何れかの給電開始方法を持ち、二次電池による電力供給を目的とした仕組みを備えることを特徴とする使い捨て方式ＩＤタグ
【発明の詳細な説明】
【技術分野】
【０００１】本発明は、使い捨て方式を特徴とする時間制限のある給電方式を取り入れたＩＤタグに関する。
【背景技術】
【０００２】ＩＤタグにおいては、使い捨て方式が希求されている中でバッテリー等の蓄電デバイスを取り外す等の処置が一般的であるが、これは回収およびバッテリー等の取り外す作業の手間がかかることが容易に想像できる。また、使い捨てに特化したＩＤタグは現在市販のＩＤタグの中では、ほぼ見当たらない状況にある。
【発明の開示】
【発明が解決しようとする課題】
【０００３】使い捨て方式に特化し、使用開始までの給電を無効化する方法と給電を開始する方法と一定時間の後、ＩＤタグとして不能となる電源を使用することにより、時間制限付きのＩＤタグを提供する方法をもって、本発明の課題とする。
【課題を解決するための手段】
【０００４】電源供給に有限な蓄電デバイスを実装し時間制限を設けることを特徴とする。【０００５】また、プルリンク式引き抜きキーを引き抜くことにより給電開始を行なう仕組み、外装の特定部分に穴を開けることにより給電開始を行なう仕組み、または外装の一部を折り曲げるもしくは折ることにより給電開始を行なう仕組みを備えることを特徴とする。【０００６】また、上述の何れかの給電開始方法を持ち、発電材を接触混合する発熱構造、もしくは冷却材を接触混合する発熱構造を有し、その結果得られる熱電発電による電力供給を目的とした仕組みを備えることを特徴とする。【０００７】また、上述の何れかの給電開始方法を持ち、熱電発電による電力供給を行なうＩＤタグにおいて温度差を維持することを目的とした放熱板としての仕組みを備えることを特徴とする。【０００８】また、上述の何れかの給電開始方法を持ち、一次電池もしくは二次電池による電力供給を目的とした仕組みを備えることを特徴とする。
【発明の効果】
【０００９】本発明は、恒常的な使用を目的としないＩＤタグを提供することにより、有効期限を持つ入場管理において使い捨ての入場券を提供することが可能となる。一次電池もしくは二次電池を使用する際にも比較的安価なものを選択することが可能となり、電池回収などの作業を省略することが可能となる。
発電機能を備える場合においては、ＩＤタグ自体を回収することも不要となる。
【発明を実施するための最良の形態】
【００１０】以下、図面を参照して本発明の一実施例を詳細に説明する。【００１１】図１は、本発明の使い捨てタグの斜視図である。しかし、これはあくまで一例にすぎず、形状について得に制限するものではなく本発明の説明を目的として形状を定めたことに終始する。使い捨てタグの形状は三角形、四角形、五角形など、もしくは円形状の形状を持つことも可能で、形状は必ずしも本発明の内容を制限するものではない。【００１２】図２は、本発明の熱発電式ＩＤタグ構成図である。タグ回路３、発電ブロック４、熱電ブロック６で構成され、プルリンク２を引くことにより、熱電ブロック４への熱伝導が起こり、起電をする仕組みを示す。【００１３】図３は、本発明のプルリンク式発熱構造の断面図である。電源供給部には、発熱材Ａと発熱材Ｂを実装し、発熱媒体として使い捨てカイロ式の混合に起因する発熱材料をもち、使用するまで別々な場所に格納しておけるようにする。【００１４】但し請求項２の場合においてはプルリンク２を引くことにより前述の発熱材Ａと発熱材Ｂを混合する仕組みを持つ、その仕組みについてはプルリンク２に薄いテープ上の仕切りを取り付けておき、この仕切りを持って２種類の発熱素材を分けておき、使用するまでは発熱しない仕組みとする。使用に際しては、プルリンク２を引き抜くことによって、２種類の発熱素材が混合し、発生する熱を持って発電が開始する。この際に、プルリンク２についたテープが抜けた穴に対しては、ＩＤタグのパッケージによる面圧力をかけること等によって発熱素材の流出に対処する。【００１５】請求項３においては、仕切りを貫通することにより同様の効果が得られるものとする。電源供給時間については、発熱素材の混合比・量・素材の質などにより、その発熱時間を調整する方法をして、発電時間の時間を調整することが可能となる。【００１６】これらは、請求項６における発電方法においても同様に適用出来うる方法であることはいうまでも無い。【００１７】図４は、本発明の電池式ＩＤタグの構成図である。タグ回路３、電池９で構成され、プルリンク２を引くことにより、絶縁を解いて起電をする仕組みを示す。請求項８および請求項９における給電方法を持つ使い捨てタグ１においては、電池９等の接点に非接触を実現する仕組みを持って同様の構造とする。ここでいう同様の構造とはテープ上の絶縁体を電池等の電極と当該する給電配線間に挿入することにより給電を抑止する構造のことを言うものである。一次電池もしくは二次電池等を使用する際の電力においてはＩＤタグの消費電力と電池９等の給電力を調整し、一定時間の使用を設定するものである。【００１８】給電開始の方法については、柔軟性のある外装を持ち内包するビニール等の梱包材をひねる力により破壊し、その液体もしくは粉末状の発電もしくは発熱材を混合する方法なども考えられる。
【図面の簡単な説明】
【００１９】
【図１】本発明の使い捨てタグの斜視図
【図２】本発明の熱電発電式ＩＤタグ構成図
【図３】本発明のプルリンク式発熱構造の断面図
【図４】本発明の電池式ＩＤタグ構成図
【符号の説明】
【００２０】１  使い捨てタグ
２  プルリンク
３  タグ回路
４  発電ブロック
５  熱伝導
６  発熱ブロック
７  発熱材Ａ
８  発熱材Ｂ
９  電池
【図１】
2008065360.tif 000003
【図２】
2008065360.tif 000004
【図３】
2008065360.tif 000005
【図４】
2008065360.tif 000006